(57)【要約】【課題】使用時及び運搬・保管時のスペース効率が高い、人工壁の壁面角度を変更可能に構成されたフリークライミング用人工壁装置を得る。【解決手段】登攀用の手掛かり又は足掛かりとなるホールド３を表側１ａ、２ａに配設した人工壁１、２と、人工壁１、２の上端部を連結する回動支持手段４と、人工壁１、２の下端部を開閉する開閉手段６、７とを備えた。人工壁の表側二面１ａ、２ａをフリークライミングに利用でき、また、設置のための基台を用いない構成であるため、使用時のスペース効率が高い。また、開閉手段６、７により人工壁１、２の下端部を閉じて折りたたむことができるため、運搬・保管時における収納スペースを小さくすることができる。【選択図】        図３
2004166851.tif 000002
【特許請求の範囲】
【請求項１】
登攀用の手掛かり又は足掛かりとなるホールドを表側に配設した一対の人工壁と、
これら人工壁を、裏側合わせで上端部を連結し、この上端部を中心に下端部を開閉可能に支持する回動支持手段と、
前記一対の人工壁の下端部を開閉する開閉手段とを備えたフリークライミング用人工壁装置。
【請求項２】
登攀用の手掛かり又は足掛かりとなるホールドを表側に配設した一対の人工壁と、
これら人工壁を、裏側合わせで上端部を連結し、この上端部を中心に下端部を開閉可能に支持する回動支持手段と、
前記一対の人工壁の下端部を開閉する開閉手段と、
キャスターとジャッキとを支持し、且つ、前記人工壁の下端部に回動可能に連結される支持板と、
前記開閉手段により調節された人工壁面の傾斜角度と床面との相対角度に応じて、前記ジャッキの着床面が前記床面と略平行となるように、前記人口壁と前記支持板との角度を保持固定する角度固定手段とを備え、
前記ジャッキを前記キャスターよりも前記人工壁の裏側寄りに配設してなるフリークライミング用人工壁装置。
【請求項３】
人工壁の開閉手段が、一対の人工壁の一方の裏側に直接又はこの裏側に固定された端末支持手段に一端を掛止されたロープ、ベルト等の長尺部材と、前記一対の人工壁の他方の裏側に取り付けられ、前記長尺部材の他端の巻き取り・繰り出しにより前記長尺部材の張架長さを変更する、張架長さ変更手段である請求項１又は２記載のフリークライミング用人工壁装置。
【請求項４】
人工壁の開閉手段が、一対の人工壁のいずれかの裏側に直接又はこの裏側に固定された端末支持手段に一端を掛止されたロープ、ベルト等の長尺部材と、この長尺部材の引き回し経路の途中を支持し、前記一対の人工壁の一方の裏側に、上下回動支持部材を介して取り付けられた中間支持部材と、前記一対の人工壁の他方の裏側に取り付けられ、前記長尺部材の他端の巻き取り・繰り出しにより前記長尺部材の張架長さを変更する、張架長さ変更手段である請求項１又は２記載のフリークライミング用人工壁装置。
【請求項５】
長尺部材の張架長さを変更する張架長さ変更手段がウォーム減速機である請求項３又は４記載のフリークライミング用人工壁装置。
【請求項６】
一対の人工壁の側面開口部に、前記人工壁の下端部の開閉に対応して前記側面開口部の全部又は一部を遮蔽できる、布若しくはビニールシート等の幕体又は蛇腹等の保護部材を配設してなる請求項１〜５のいずれかに記載のフリークライミング用人工壁装置。
【請求項７】
一対の人工壁面の傾斜角度を適宜の角度で固定する連結部材を前記一対の人工壁間に備えてなる請求項１〜６のいずれかに記載のフリークライミング用人工壁装置。
【請求項８】
一対の人工壁面の傾斜角度の拡大を抑制する連結部材を前記一対の人工壁間に備えてなる請求項１〜６のいずれかに記載のフリークライミング用人工壁装置。
【発明の詳細な説明】
【０００１】
【発明の属する技術分野】
本発明は、壁面に登攀のための手掛かり又は足掛かりを設けたフリークライミング用人工壁装置に関わり、更に詳しくは人工壁の壁面角度を変更可能に構成されたフリークライミング用人工壁装置の改良に関するものである。
【０００２】
【従来の技術】
従来の人工壁の壁面角度を変更可能に構成されたフリークライミング用人工壁装置としては、使用者に合わせてフリークライミングの難易度を変えるため、登攀用の手掛かり又は足掛かりとなるホールドを適宜位置に設けた壁面部材を台部材上に立設させ、支持部材の取付け位置を調整することにより前記壁面部材の傾斜角を種々設定するもの（例えば、特許文献１参照。）、移動可能な基台上に前記ホールドを備えた人工壁を傾斜機構を介して取付け、前記人工壁を傾斜可能としたもの（例えば、特許文献２参照。）等がある。
【０００３】
【特許文献１】特許第２６３０９１８号公報（図１）
【特許文献２】登録実用新案第３０５８８８５号公報（図１）
【０００４】
【発明が解決しようとする課題】
従来の人工壁の壁面角度を変更可能に構成されたフリークライミング用人工壁装置は、いずれも１枚の人工壁の片面を利用するものであると共に基台上に人工壁を配設するものである。したがって、基台の設置スペースがかさばると共に使用時のスペース効率が低いこと、設置位置の移動時に必要なスペースが大きいこと、及び、運搬・保管時における収納スペースが大きいこと等の問題点があった。
【０００５】
本発明は、前記のような問題点を解決するためになされたものであり、使用時のスペース効率が高く、設置位置の移動時に必要なスペースが小さく、運搬・保管時の収納スペースが小さくて済む、使用者に合わせてフリークライミングの難易度を変えるために人工壁の壁面角度を変更可能に構成されたフリークライミング用人工壁装置を得ることを目的とする。
【０００６】
【課題を解決するための手段】
本発明は、前述の課題解決のために、登攀用の手掛かり又は足掛かりとなるホールドを表側に配設した一対の人工壁と、これら人工壁を、裏側合わせで上端部を連結し、この上端部を中心に下端部を開閉可能に支持する回動支持手段と、前記一対の人工壁の下端部を開閉する開閉手段とを備えたものである。
【０００７】
また、本発明は、登攀用の手掛かり又は足掛かりとなるホールドを表側に配設した一対の人工壁と、これら人工壁を、裏側合わせで上端部を連結し、この上端部を中心に下端部を開閉可能に支持する回動支持手段と、前記一対の人工壁の下端部を開閉する開閉手段と、キャスターとジャッキとを支持し、且つ、前記人工壁の下端部に回動可能に連結される支持板と、前記開閉手段により調節された人工壁面の傾斜角度と床面との相対角度に応じて、前記ジャッキの着床面が前記床面と略平行となるように、前記人口壁と前記支持板との角度を保持固定する角度固定手段とを備え、前記ジャッキを前記キャスターよりも前記人工壁の裏側寄りに配設してなるものである。
【０００８】
ここで、前記開閉手段が、前記一対の人工壁の一方の裏側に直接又はこの裏側に固定された端末支持手段に一端を掛止されたロープ、ベルト等の長尺部材と、前記一対の人工壁の他方の裏側に取り付けられ、前記長尺部材の他端の巻き取り・繰り出しにより前記長尺部材の張架長さを変更する、張架長さ変更手段であると好ましい。
【０００９】
また、前記開閉手段が、前記一対の人工壁のいずれかの裏側に直接又はこの裏側に固定された端末支持手段に一端を掛止されたロープ、ベルト等の長尺部材と、この長尺部材の引き回し経路の途中を支持し、前記一対の人工壁の一方の裏側に、上下回動支持部材を介して取り付けられた中間支持部材と、前記一対の人工壁の他方の裏側に取り付けられ、前記長尺部材の他端の巻き取り・繰り出しにより前記長尺部材の張架長さを変更する、張架長さ変更手段であると好ましい。
【００１０】
さらに、前記長尺部材の張架長さを変更する張架長さ変更手段がウォーム減速機であると好ましい。
【００１１】
さらにまた、前記一対の人工壁の側面開口部に、前記人工壁の下端部の開閉に対応して前記側面開口部の全部又は一部を遮蔽できる、布若しくはビニールシート等の幕体又は蛇腹等の保護部材を配設すると、安全性及び信頼性向上の観点から好ましい。
【００１２】
また、前記一対の人工壁面の傾斜角度を適宜の角度で固定する連結部材を前記一対の人工壁間に備えると、安全性及び信頼性向上の観点から好ましい。
【００１３】
さらに、前記一対の人工壁面の傾斜角度の拡大を抑制する連結部材を前記一対の人工壁間に備えると、安全性向上の観点から好ましい。
【００１４】
本発明に係るフリークライミング用人工壁装置の構成上の主な特徴は、登攀用の手掛かり又は足掛かりとなるホールドを表側に配設した一対の人工壁の上端部を連結し、前記一対の人工壁の下端部を開閉可能とした折りたたみ可能な構成にある。このような構成により、前記人工壁の下端部の開閉を行い、前記人工壁の壁面角度を変更することにより、使用者に合わせてフリークライミングの難易度を変えることができる。また、前記一対の人工壁の表側二面をフリークライミングに利用できると共に設置のための基台を用いない構成であるため、使用時のスペース効率が高い。さらに、前記開閉手段により前記人工壁の下端部を閉じて折りたたむことができるため、設置位置の移動時に必要なスペースを小さくすることができると共に運搬・保管時における収納スペースを小さくすることができる。
【００１５】
【発明の実施の形態】
実施の形態１．
図１は、本発明の本発明の実施の形態１に係るフリークライミング用人工壁装置の構成を示す斜視図であり、図において、１は人工壁、１ａは人工壁１の表側、１ｂは人口壁１の裏側、２は人工壁、２ａは人工壁２の表側、２ｂは人口壁２の裏側、３は人工壁１及び２の表側１ａ及び２ａの適宜位置に配設された登攀用の手掛かり又は足掛かりとなるホールド、４は人工壁１及び２の上端部を連結し、この上端部を中心に下端部を開閉可能に支持する、例えば蝶番又は軸受と軸により構成された回動支持手段、５は長尺部材であるワイヤーロープ、６はワイヤーロープ５の一端を掛止する、人口壁１の裏側１ｂに固定された端末支持部材、７はワイヤーロープ５の他端の巻き取り・繰り出しによりワイヤーロープ５の張架長さＬを変更する、人口壁２の裏側２ｂに連結された張架長さ変更手段、７ａはハンドル、αは人工壁１及び２の壁面の傾斜角度である。ワイヤーロープ５は長尺部材の一例であり、該長尺部材としては、所要の引張り強度、可撓性及び耐磨耗性を有するものが採用でき、例えば鋼又はアラミド繊維等からなるロープ、チューブ又はベルト等を用いることができる。また、人工壁１及び２の下端部には図示しないキャスターが配設されていてもよいし、図１のようにキャスターがなくてもよい。
【００１６】
図１において、ワイヤーロープ５及び張架長さ変更手段７が人工壁１及び２の下端部を開閉する開閉手段を構成している。張架長さ変更手段７はワイヤーロープ５の巻き取り・繰り出しを行い、人口壁１の裏側１ｂに固定された端末支持部材６に掛止されたワイヤーロープ５の一端から張架長さ変更手段７までの張架長さＬを変更することにより、人工壁１及び２の下端部を開閉する。また、この開閉手段により人工壁１及び２の下端部を閉じる方向に駆動した場合に、人工壁１及び２の裏側１ｂ及び２ｂが対向するように、裏側合わせで、人工壁１及び２の上端部が回動支持手段４により連結されている。
【００１７】
人工壁１及び２は、例えばアルミニウム押出し材等からなる格子状フレームに例えばＦＲＰ、合成樹脂等からなるパネルを配設して形成されており、複数のパネルを縦横に配設してもよいし、一体のパネルを配設してもよい。また、前記パネルには登攀用の手掛かり又は足掛かりとなる例えばＦＲＰ、合成樹脂等からなるホールド３が適宜位置に着脱可能に装着されている。ホールド３は、任意の大きさ・形状に形成され、前記パネルの表面から窪んだ凹部が形成されたインナーホールド、又は、前記パネル表面から突き出た凸部が形成されたアウターホールドが適宜選択される。
【００１８】
また、前記人工壁１及び２のパネル表面の色を前記パネルの所定の領域毎に色分けすることにより、より使用者の興味を引くようにすることができる。さらに、前記パネル及びホールドの表面の全体又は一部の面粗さを変えて摩擦係数を変えることによりフリークライミングの難易度を変えることができる。
【００１９】
図１のとおり、多種類の異形状のホールド３が人工壁１及び２の表側１ａ及び２ａの適宜位置に着脱可能に配設されているため、フリークライミングのレイアウト及び難易度変更を容易に行うことができる。
【００２０】
図２は、張架長さ変更手段７の構成例を示す説明図であり、図において、１ｂは人口壁１の裏側、５はワイヤーロープ、６は端末支持部材、７は張架長さ変更手段、７ａはハンドル、７ｂ及び７ｃは傘歯車、７ｄはウォーム、７ｅはウォームホイール、７ｆは巻胴、Ｌはワイヤーロープ５の張架長さである。ワイヤーロープ５の一端は人口壁１の裏側１ｂに固定された端末支持部材６に掛止され、ワイヤーロープ５の他端は巻胴７ｆに巻回されている。また、張架長さ変更手段７は図１のように人工壁２の裏側２ｂに取り付けられている。
【００２１】
以下、人工壁１及び２の下端部にキャスターが配設されている場合について説明する。ハンドル７ａを例えば図中矢印Ａ方向に回転させることにより、傘歯車７ｂ、７ｃを介してウォーム７ｄが図中矢印Ｂ方向に回転し、ウォームホイール７ｅが図中矢印Ｃ方向に回転する。また、ウォームホイール７ｅに連結固定された巻胴７ｆがウォームホイール７ｅの回転に伴い図中矢印Ｃ方向に回転し、ワイヤーロープ５が巻胴７ｆに巻き取られ張架長さＬが短くなり、図中矢印Ｄのように人工壁１は人工壁２に近づく方向に相対的に移動する（人工壁１及び２の下端部が閉じる方向に移動する）。また、ハンドル７ａを図中矢印Ａ方向と逆方向に回転させると、巻胴７ｆからワイヤーロープ５が繰り出され、人工壁１及び２等の重力によりワイヤーロープ５には張力が働いているため、張架長さＬが長くなり、図中矢印Ｅのように人工壁１は人工壁２から離れる方向に相対的に移動する（人工壁１及び２の下端部が開く方向に移動する）。
【００２２】
次に、人工壁１及び２の下端部にキャスターが配設されていない場合について説明する。図２の張架長さ変更手段７の動作は人工壁１及び２の下端部にキャスターが配設されている場合と同様である。ただし、ハンドル７ａを回転させてワイヤーロープ５の巻き取り・繰り出しを行いワイヤーロープ５の張架長さＬを変更する場合において、例えば人工壁１及び２の下端部のいずれか一方を持ち上げて、変更後のワイヤーロープ５の張架長さＬに合わせて人工壁１及び２の下端部を開閉し、人工壁１及び２の壁面の傾斜角度αを変える必要がある。
【００２３】
以上のように、張架長さ変更手段７によりワイヤーロープ５の巻き取り・繰り出しを行い、ワイヤーロープ５の張架長さＬを変更することにより人工壁１及び２の下端部を開閉することができ、したがって、人工壁１及び２の壁面の傾斜角度αを変更することができる。例えば、図１の人工壁１及び２の壁面の傾斜角度αを３０°〜９０°程度として、フリークライミングを行うことができる。
【００２４】
以上のように、人工壁１及び２の下端部を開閉する開閉手段を、ワイヤーロープ５及びワイヤーロープ５の張架長さを変更する張架長さ変更手段７により構成すれば、人工壁１及び２の下端部の開閉をワイヤーロープ５の巻き取り・繰り出しによる簡単な構成で実現することができる。
【００２５】
図２では、張架長さ変更手段７として、ウォーム７ｄ及びウォームホイール７ｅによるウォーム減速機を用いてワイヤーロープ５の巻き取り・繰り出しを行う構成を採用している。ウォーム減速機は減速比が大きく、ハンドル７ａ側のトルクのウォームホイール７ｅ側への増幅率が大きいため、小さな力でハンドル７ａの回転を行うことができると共に張架長さ変更手段７をコンパクトに構成することができる。また、人工壁１及び２等の重力により、人工壁１及び２の下端部を開く方向の力が作用し、ワイヤーロープ５に張力が働き、ワイヤーロープ５が巻回されている巻胴７ｆにトルクが働いても、ウォームホイール７ｅ側からウォーム７ｄを回転させることができないため、人工壁１及び２の下端部が開くことはない。すなわち、ブレーキ又はロック機構等は不要となる。
【００２６】
以上のように、本発明は人工壁１の表側１ａ及び人工壁２の表側２ａの両面をフリークライミングに利用できると共に設置のための基台を用いない構成であるため、使用時のスペース効率を高くすることができる。また、張架長さ変更手段７によるワイヤーロープ５の巻き取りにより、人工壁１及び２の下端部を閉じて折りたたむことにより、設置位置の移動時に必要なスペースが小さくなると共に運搬・保管時の収納スペースを小さくすることができる。
【００２７】
以上の説明においては、人工壁１及び２の表側１ａ及び２ａ並びに裏側１ｂ及び２ｂの面形状として平面形状からなるものを示したが、人工壁１及び２はこのような形状に限定されるものではなく、例えば円弧状、波状等の曲面又は凹凸面を有する人工壁であってもよい。
【００２８】
また、以上の説明においては、人工壁１及び２の表側１ａ及び２ａに配設される登攀用の手掛かり又は足掛かりとなるホールドとして着脱可能であるものを示したが、前記ホールドが人工壁と一体に成形され着脱できないものであってもよい。
【００２９】
さらに、以上の説明においては、ワイヤーロープ５の一端を人口壁１の裏側１ｂに固定された端末支持部材６に掛止する構成を示したが、ワイヤーロープ５の一端は人口壁１の裏側１ｂに直接掛止してもよい。
【００３０】
さらにまた、以上の説明においては、張架長さ変更手段７としてウォーム減速機を用いて手動により一対の人工壁１及び２の下端部を開閉する例を示したが、ウォーム減速機とモータ等を組み合わせて自動化することもできる。また、手動又は電動のウインチを用いる等、ロープ等の長尺部材の巻き取り・繰り出し機能を有する他の構成を採用することもできる。
【００３１】
また、一対の人工壁１及び２の下端部を開閉する開閉手段としては、ロープ等の長尺部材及びこの長尺部材の張架長さを変更する張架長さ変更手段に限定されず、長尺部材以外の動力伝達機構としてパンタグラフ機構等を用い、パンタグラフ機構等を駆動して人工壁１及び２の下端部を開閉してもよい。
【００３２】
さらに、一対の人工壁１及び２の下端部を開閉する開閉手段として、図１の回動支持手段４の回動軸を直接又は間接に駆動して人工壁１及び２の下端部を開閉する手段、例えば、モータ、減速機及びブレーキ等を人工壁１及び２の上端部近傍に設けてもよい。
【００３３】
実施の形態２．
図３は、本発明の実施の形態２に係るフリークライミング用人工壁装置の構成を示す斜視図であり、図において、実施の形態１の図１と同一符号は同一又は相当部分を示している。図３において、８は首振り自在のキャスター、９は設置位置固定用ジャッキ、１０はキャスター８とジャッキ９を支持する支持板、１１は回動支持手段４と平行の回動軸を有し、支持板１０と人工壁１又は２の下端部とを回動可能に支持する、例えば蝶番又は軸受と軸により構成された回動支持手段である。また、図４は図３の基本構成に対して、安全上又は外観上等の観点からなされる保護部材の構成の例を示す斜視図であり、図３の回動支持手段４周りには、例えばゴム又はスポンジ等からなる保護部材１２が、図３のワイヤーロープ５等が配設されている側面開口部には、例えば布若しくはビニールシート等の幕体又は蛇腹等からなり人工壁１及び２の壁面の傾斜角度αの変更に対応して前記側面開口部の全部又は一部を遮蔽できる保護部材１３が、図３のキャスター８の外部には、例えば合成樹脂又はアルミニウム等からなる保護部材１４が配設される。
【００３４】
本発明に係るフリークライミング用人工壁装置においては、特に、図４に示す保護部材１３を装着することが安全上重要である。すなわち、保護部材１３により前記側面開口部への人の進入が抑制されるため、フリークライミング使用時又は設置作業時等の安全性が向上する。また、前記側面開口部への塵埃の侵入が抑制されるため、人工壁１及び２の下端部を開閉する開閉手段の信頼性が向上する。
【００３５】
図５は人工壁１及び２の壁面の傾斜角度αを適宜の角度で固定する連結部材１５の例を示す斜視図であり、図において、図３と同一符号は同一又は相当部分を示している。図５において、１５ａは固定バー、１５ｂはピンジョイント、１５ｃはボルト、１５ｄはねじ溝である。人工壁１及び２の壁面の傾斜角度αに応じて、固定バー１５ａを固定するねじ溝１５ｄを選択してボルト１５ｃにより固定バー１５ａを固定することにより、人工壁１及び２の壁面の傾斜角度αが適宜の角度で固定される。したがって、例えばワイヤーロープ５が不慮に切断された場合等においても、人工壁１及び２の壁面間が開くのを防止できるため、安全性が向上する。また、小学生等の人工壁１及び２への飛び乗り等極端な使用をされた場合においても、人工壁１及び２の壁面間が固定されており、人工壁１及び２の壁面並びにワイヤーロープ５及び張架長さ変更手段７等に掛かる衝撃力を緩和できるため、安全性及び信頼性が向上する。
【００３６】
人工壁１及び２の壁面の傾斜角度αを適宜の角度で固定する連結部材としては、図５の構成に限らず、固定バー１５ａを分割構成として人工壁１及び２の壁面の傾斜角度αに応じて固定バー１５ａの長さを変更可能とする構成等人工壁１及び２の壁面の傾斜角度αを機械的に固定できるものであればよい。
【００３７】
また、ワイヤーロープ５の不慮の切断時等における人工壁１及び２の壁面の傾斜角度αの拡大を抑制する連結部材として、綿若しくはポリエステル等の織布製又は鋼製等のベルトを人工壁１及び２の壁面間、例えば図５の固定バー１５ａの位置に掛け渡してもよい。あるいは、一対の人工壁１及び２を構成する格子状フレームの水平部分の複数箇所、例えば３箇所に掛け渡してもよい。
【００３８】
図３において、人工壁１及び２の下端部を開閉する開閉手段であるワイヤーロープ５及び張架長さ変更手段７による前記下端部の開閉動作は、実施の形態１における人工壁１及び２の下端部にキャスターが配設されている場合と同様であり、張架長さ変更手段７はワイヤーロープ５の巻き取り・繰り出しを行い、人口壁１の裏側１ｂに固定された端末支持部材６に掛止されたワイヤーロープ５の一端から張架長さ変更手段７までの張架長さＬを変更することにより、人工壁１及び２の下端部を開閉する。また、回動支持手段１１は回動支持手段４と平行の回動軸を有しているため、開閉手段により人工壁１及び２の下端部が開閉しても、ジャッキ９の着床面が床面と平行となるように、人工壁１又は２下端部と支持板１０との回動支持手段１１による支持角度を調節することができる。
【００３９】
図６は、張架長さ変更手段７によりワイヤーロープ５の張架長さＬを変えることにより、人工壁１及び２の壁面の傾斜角度を調整後、フリークライミングに使用するための設置例を示す説明図であり、図において、図３と同一符号は同一又は相当部分を示している。また、図６（ａ）は、人工壁１及び２の壁面の傾斜角度αが９０°の場合を、図６（ｂ）は、人工壁１及び２の壁面の傾斜角度αが６０°の場合を示している。図６において、９ａ、９ｂ及び９ｃは、ぞれぞれ、設置位置固定用ジャッキ９のねじ部、ナット及び着床面、１６ａ及び１６ｂはワイヤーロープ５及び張架長さ変更手段７により調節された人工壁１及び２の下端部の開度と床面に応じて、人口壁１又は２と支持板１０との角度を保持固定する角度固定手段、Ｆは設置位置固定用ジャッキ９の脚部の長さ、ＧＬは床面である。設置位置固定用ジャッキ９は、ねじ部９ａに対してナット９ｂを相対的に回転させることにより脚部の長さＦの伸縮が可能である。
【００４０】
図３において、張架長さ変更手段７によりワイヤーロープ５の張架長さＬを変えることにより人工壁１及び２の壁面の傾斜角度αを調整後、図６（ａ）又は（ｂ）のように、角度固定手段１６ａ及び１６ｂにより、人工壁面の傾斜角度αと床面ＧＬとの相対角度に応じて、ジャッキ９の着床面９ｃが床面ＧＬと略平行となるように、人口壁１及び２と支持板１０との角度を保持固定する。次に、設置位置固定用ジャッキ９を伸ばして、キャスター８を床面ＧＬから浮かせ、設置位置を固定する。このように、人工壁１及び２の壁面の所望の傾斜角度αに合わせて設置位置を固定後、登攀用の手掛かり又は足掛かりとなるホールド３が適宜位置に配設された両面、すなわち人工壁１の表側１ａ及び人工壁２の表側２ａをフリークライミングに利用する。
【００４１】
以上のように、本発明は人工壁１の表側１ａ及び人工壁２の表側２ａの両面をフリークライミングに利用できると共に設置のための基台を用いない構成であるため、使用時のスペース効率を高くすることができる。
【００４２】
また、フリークライミング用人工壁装置の設置位置の移動時には、設置位置固定用ジャッキ９を縮めて、キャスター８を床面ＧＬに着床させ、キャスター８の転動により所望の位置に移動させる。キャスター８は首振り自在であるため、移動方向を問わず容易に移動させることができる。
【００４３】
人工壁１及び２の壁面の傾斜角度αを緩やかにすると（例えば、図６（ａ）参照。）、握力及び脚力等体力のない小学生等の子供又は未経験者でも比較的容易にフリークライミングを楽しむことができる。また、人工壁１及び２の壁面の傾斜角度αを急にすると（例えば、図６（ｂ）参照。）、フリークライミングの難易度が上がるため、より体力のある者又はフリークライミングの経験者等でもフリークライミングを楽しむことができる。このように、人工壁１及び２の壁面の傾斜角度αを適宜変更することにより、使用者に適当な運動負荷を与えることができるため、使用者に応じて本発明に係るフリークライミング用人工壁装置を活用することができる。したがって、体力のない小学生等の体力増強等にも活用することができる。
【００４４】
図７及び図８は、設置位置の移動時又は運搬・保管時における本発明のフリークライミング用人工壁装置の形態の例を示す説明図であり、図３及び図６と同一符号は同一又は相当部分を示している。例えば図７の実線の形態（図６（ｂ）に相当）において、設置位置固定用ジャッキ９を縮めて、キャスター８を床面ＧＬまで降ろし、ジャッキ９を床面ＧＬから浮かせ、張架長さ変更手段７によりワイヤーロープ５の張架長さＬを矢印Ｇのように短くし、人工壁１及び２の壁面の傾斜角度αを図７の２点鎖線の形態のように小さくすると、ジャッキ９はキャスター８よりも人工壁１又は２の裏側１ｂ又は２ｂ寄りに配設されているため、ジャッキ９が床面ＧＬと干渉せずに、容易に人工壁１及び２を折りたたむことができる（人工壁１及び２を折りたたんだ後のキャスター８とジャッキ９の状態の例として図８を参照。）。したがって、設置位置の移動時に必要なスペースを小さくすることができると共に運搬・保管時における収納スペースを小さくすることができ、さらに人工壁１及び２の折りたたみ作業の効率が向上する。
【００４５】
実施の形態３．
図９は、本発明の実施の形態３に係るフリークライミング用人工壁装置の構成を示す斜視図、図１０はワイヤーロープ５の引き回し経路の例を示す平面図であり、実施の形態２の図３と同一符号は同一又は相当部分を示している。図９及び図１０において、１７は例えばプーリである中間支持部材、１７ａは例えばピンジョイントである上下回動支持部材であり、ワイヤーロープ５の一端は、図１０のように人口壁２の裏側２ｂに固定された端末支持部材６に掛止され、人口壁１の裏側１ｂに上下回動支持部材１７ａを介して取り付けられた中間支持部材１７、１７により引き回し方向が変換される。実施の形態１及び２と同様に、張架長さ変更手段７によりワイヤーロープ５の巻き取り・繰り出しを行い、人工壁１の裏側１ｂの中間支持部材１７から張架長さ変更手段７までのワイヤーロープ５の張架長さＬを変更し、人工壁１及び２の下端部を開閉して人工壁１及び２の壁面の傾斜角度αを変更することができる。この場合は、ワイヤーロープ５、ワイヤーロープ５の引き回し経路の途中を支持し、人口壁１の裏側１ｂに上下回動支持部材１７ａを介して取り付けられた中間支持部材１７及び張架長さ変更手段７が人工壁１及び２の下端部を開閉する開閉手段を構成している。
【００４６】
中間支持部材１７は、図９のように上下回動支持部材１７ａを介して人口壁１の裏側１ｂに取り付けられており、人工壁１及び２の壁面の傾斜角度αが変わっても中間支持部材１７を略水平に保つことができる。したがって、ワイヤーロープ５が中間支持部材１７から外れることなくワイヤーロープ５の引き回しを確実に行うことができる。また、中間支持部材１７の自重により中間支持部材１７が垂れ下がる場合は、重力補償用のバネ、ゴム等の弾性部材により、中間支持部材１７を人工壁１の裏側１ｂから引っ張り上げる構成としてもよい。
【００４７】
本発明に係るフリークライミング用人工壁装置におけるワイヤーロープ５の引き回し経路は図１０の構成に限定されるものではなく、端末支持部材６及び中間支持部材１７の配置は適宜選択できる。
【００４８】
【発明の効果】
本発明の請求項１に係るフリークライミング用人工壁装置は、登攀用の手掛かり又は足掛かりとなるホールドを表側に配設した一対の人工壁と、これら人工壁を、裏側合わせで上端部を連結し、この上端部を中心に下端部を開閉可能に支持する回動支持手段と、前記一対の人工壁の下端部を開閉する開閉手段とを備えたので、前記開閉手段により前記人工壁の下端部の開閉を行うことにより人工壁の壁面角度が変更可能であると共に、前記一対の人工壁の表側二面をフリークライミングに利用でき、また、設置のための基台を用いない構成であるため、使用時のスペース効率が高いという効果を奏する。また、前記開閉手段により前記人工壁の下端部を閉じて折りたたむことができるため、設置位置の移動時に必要なスペースを小さくすることができると共に運搬・保管時における収納スペースを小さくすることができるという効果を奏する。
【００４９】
また、本発明の請求項２に係るフリークライミング用人工壁装置は、登攀用の手掛かり又は足掛かりとなるホールドを表側に配設した一対の人工壁と、これら人工壁を、裏側合わせで上端部を連結し、この上端部を中心に下端部を開閉可能に支持する回動支持手段と、前記一対の人工壁の下端部を開閉する開閉手段と、キャスターとジャッキとを支持し、且つ、前記人工壁の下端部に回動可能に連結される支持板と、前記開閉手段により調節された人工壁面の傾斜角度と床面との相対角度に応じて、前記ジャッキの着床面が前記床面と略平行となるように、前記人口壁と前記支持板との角度を保持固定する角度固定手段とを備え、前記ジャッキを前記キャスターよりも前記人工壁の裏側寄りに配設したので、前記開閉手段により前記人工壁の下端部の開閉を行うことにより人工壁の壁面角度が変更可能であると共に、前記一対の人工壁の表側二面をフリークライミングに利用でき、また、設置のための基台を用いない構成であるため、使用時のスペース効率が高いという効果を奏する。また、前記開閉手段により前記人工壁の下端部を閉じて折りたたむことができるため、設置位置の移動時に必要なスペースを小さくすることができると共に運搬・保管時における収納スペースを小さくすることができるという効果を奏する。さらに、前記ジャッキが前記床面と干渉しにくく、前記一対の人工壁を容易に折りたたむことができるため、前記一対の人工壁の折りたたみ作業の効率化を図ることができるという効果を奏する。
【００５０】
また、本発明の請求項３又は４に係るフリークライミング用人工壁装置は、請求項１又は２に係るフリークライミング用人工壁装置の構成に加え、人工壁の開閉手段が、一対の人工壁の一方の裏側に直接又はこの裏側に固定された端末支持手段に一端を掛止されたロープ、ベルト等の長尺部材と、前記一対の人工壁の他方の裏側に取り付けられ、前記長尺部材の他端の巻き取り・繰り出しにより前記長尺部材の張架長さを変更する、張架長さ変更手段、又は、人工壁の開閉手段が、一対の人工壁のいずれかの裏側に直接又はこの裏側に固定された端末支持手段に一端を掛止されたロープ、ベルト等の長尺部材と、この長尺部材の引き回し経路の途中を支持し、前記一対の人工壁の一方の裏側に、上下回動支持部材を介して取り付けられた中間支持部材と、前記一対の人工壁の他方の裏側に取り付けられ、前記長尺部材の他端の巻き取り・繰り出しにより前記長尺部材の張架長さを変更する、張架長さ変更手段であるので、請求項１又は２に係る発明の効果に加え、前記開閉手段の構成を簡素化できるという効果を奏する。
【００５１】
また、本発明の請求項５に係るフリークライミング用人工壁装置は、請求項３又は４に係るフリークライミング用人工壁装置の構成に加え、長尺部材の張架長さを変更する張架長さ変更手段がウォーム減速機であるため、請求項３又は４に係る発明の効果に加え、前記張架長さ変更手段をコンパクトに構成することができると共にブレーキ又はロック機構等が不要になるという効果を奏する。
【００５２】
また、本発明の請求項６に係るフリークライミング用人工壁装置は、請求項１〜５に係るフリークライミング用人工壁装置の構成に加え、一対の人工壁の側面開口部に、前記人工壁の下端部の開閉に対応して前記側面開口部の全部又は一部を遮蔽できる、布若しくはビニールシート等の幕体又は蛇腹等の保護部材を配設したため、請求項１〜５に係る発明の効果に加え、前記保護部材により前記側面開口部への人の進入が抑制され、フリークライミング使用時又は設置作業時等の安全性が向上するという効果を奏する。また、前記側面開口部への塵埃の侵入が抑制されるため、前記一対の人工壁の下端部を開閉する開閉手段の信頼性が向上するという効果を奏する。
【００５３】
また、本発明の請求項７に係るフリークライミング用人工壁装置は、請求項１〜６に係るフリークライミング用人工壁装置の構成に加え、一対の人工壁面の傾斜角度を適宜の角度で固定する連結部材を前記一対の人工壁間に備えたため、請求項１〜６に係る発明の効果に加え、前記連結部材による前記人工壁の壁面角度の固定により、安全性及び信頼性が向上する。
【００５４】
また、本発明の請求項８に係るフリークライミング用人工壁装置は、請求項１〜６に係るフリークライミング用人工壁装置の構成に加え、一対の人工壁面の傾斜角度の拡大を抑制する連結部材を前記一対の人工壁間に備えたため、請求項１〜６に係る発明の効果に加え、前記連結部材による前記人工壁の壁面角度の拡大防止により、安全性が向上する。
【図面の簡単な説明】
【図１】本発明の実施の形態１に係るフリークライミング用人工壁装置の構成を示す斜視図である。
【図２】張架長さ変更手段の構成例を示す説明図である。
【図３】本発明の実施の形態２に係るフリークライミング用人工壁装置の構成を示す斜視図である。
【図４】保護部材の構成の例を示す斜視図である。
【図５】人工壁の壁面の傾斜角度を適宜の角度で固定する連結部材の例を示す斜視図である。
【図６】張架長さ変更手段によりワイヤーロープの張架長さを変えることにより、人工壁の壁面の傾斜角度を調整後、フリークライミングに使用するための設置例を示す説明図である。
【図７】設置位置の移動時又は運搬・保管時における本発明のフリークライミング用人工壁装置の形態の例を示す説明図である。
【図８】設置位置の移動時又は運搬・保管時における本発明のフリークライミング用人工壁装置の形態の例を示す説明図である。
【図９】本発明の実施の形態３に係るフリークライミング用人工壁装置の構成を示す斜視図である。
【図１０】ワイヤーロープの引き回し経路の例を示す平面図である。
【符号の説明】
１、２  人工壁、１ａ、２ａ  人工壁の表側、１ｂ、２ｂ  人口壁の裏側、３ホールド、４  回動支持手段、５  ワイヤーロープ、６  端末支持部材、７  張架長さ変更手段、７ａ  ハンドル、７ｂ、７ｃ  傘歯車、７ｄ  ウォーム、７ｅ  ウォームホイール、７ｆ  巻胴、８  キャスター、９  ジャッキ、９ｃ  着床面、１０  支持板、１１  回動支持手段、１２、１３、１４  保護部材、１５連結部材、１６ａ、１６ｂ  角度固定手段、１７  中間支持部材、１７ａ  上下回動支持部材、α  傾斜角度、Ｌ  ワイヤーロープの張架長さ、ＧＬ  床面。
【図１】
2004166851.tif 000003
【図２】
2004166851.tif 000004
【図３】
2004166851.tif 000005
【図４】
2004166851.tif 000006
【図５】
2004166851.tif 000007
【図６】
2004166851.tif 000008
【図７】
2004166851.tif 000009
【図８】
2004166851.tif 000010
【図９】
2004166851.tif 000011
【図１０】
2004166851.tif 000012